(57)【要約】【課題】寝ている療養者をベッドから離れやすい状態にできる療養用ベッドを提供する。【解決手段】背凭れプレート７を上方に向けて略垂直に回動操作する。脚載せプレート９を下方に向けて略垂直に回動操作する。療養用ベッド１に寝ている療養者Ｐの上半身が起こされ、療養者Ｐの脛部Ｓが垂直に下方に曲がり、療養者Ｐの足裏Ｏが足プレート22上に設置した状態となる。療養者Ｐが椅子に腰掛けている状態に近い姿勢となり、療養用ベッド１から立ち上がることが容易な状態となる。療養者Ｐが場所を移動して歩行練習できるとともに、近くの車椅子に移動できる。療養者Ｐが寝ている状態から自力で立ち上がることができ、療養用ベッド１から離れることが容易にできる。【選択図】図１
2008264095.tif 000002
【特許請求の範囲】
【請求項１】
水平に設置され使用者の臀部を支持する略板状の中間支持部と、この中間支持部の使用者の頭側に位置し使用者の胴体部を支持する略板状の上体支持部と、前記中間支持部の使用者の足側に位置し使用者の脛部を支持する略板状の下体支持部とを具備し、
前記上体支持部は、略水平な状態からこの上体支持部の使用者の頭側を上方に向けて回動可能で、
前記下体支持部は、略水平な状態からこの下体支持部の使用者の足側を下方に向けて回動可能で、
前記中間支持部には、前記上体支持部を回動させる上体駆動部と、前記下体支持部を回動させる下体駆動部とが取り付けられている
ことを特徴とした療養用ベッド。
【請求項２】
上体支持部は、中間支持部に対して略垂直になるまで上方に向けて回動可能で、
下体支持部は、前記中間支持部に対して略垂直になるまで下方に向けて回動可能である
ことを特徴とした請求項１記載の療養用ベッド。
【請求項３】
下体支持部は、使用者の脛部を支持する略板状の脛支持部と、使用者の足部を支持する略板状の足支持部とを備え、
前記脛支持部は、中間支持部の使用者の足側に位置し、この脛支持部の使用者の足側が前記中間支持部に対して略垂直になるまで下方に向けて回動可能で、
前記足支持部は、前記脛支持部の使用者の足側に取り付けられ、この足支持部の使用者の足側が前記脛支持部に対して略垂直になるまで上下方向に回動可能である
ことを特徴とした請求項１または２記載の療養用ベッド。
【発明の詳細な説明】
【技術分野】
【０００１】
本発明は、使用者を支持する療養用ベッドに関する。
【背景技術】
【０００２】
近年、高齢化に伴う療養のみならず、疾病や事故後のリハビリのために用いる療養用ベッドの需要が増加している。そして、この種の療養用ベッドとしては、使用者の状況に応じて多種多様の態様のものが存在している。
【０００３】
例えば、この種の療養用ベッドとしては、使用者を寝ている状態から座っている状態にするために、この使用者の胴体部を支持する上体支持部材の使用者の頭側を、この使用者の臀部および大腿部を支持するベッド台に対して上方に向けて回動させるとともに、使用者の足部を支持する下股支持部材をベッド台より下方に向けて水平に移動させて下降させる構成が知られている（例えば、特許文献１参照。）。
【０００４】
また、この種の療養用ベッドとしては、使用者を寝ている状態から便座に座った状態にするために、使用者の臀部の下にトイレを設置してから、この使用者の胴体部を支持する上体支持部の使用者の頭側を上方に向けて回動させつつ、使用者の足部を支持する下股支持部を下方に向けて水平に移動させて下降させる構成が知られている（例えば、特許文献２参照。）。
【０００５】
さらに、この種の療養用ベッドとしては、使用者の臀部を支持するメインフレームに連動して、使用者の胴体部を支持する背上げアームの使用者の頭側を上方に向けて回動させるとともに、使用者の脛部および足部を支持する脚上げアームを下方に向けて回動させて、使用者を寝ている状態からやや起き上がった状態にする構成が知られている（例えば、特許文献３参照。）。
【特許文献１】特開平７−３１３５５７号公報
【特許文献２】特開平６−１３４００５号公報
【特許文献３】特開２００２−２８１９１号公報
【発明の開示】
【発明が解決しようとする課題】
【０００６】
しかしながら、上記の各療養用ベッドでは、療養中の使用者の自立を手助けすることを視野に入れていない。さらに、療養中であっても完全に寝たきりの使用者は少なく、日常生活において何らかの形で療養用ベッドから起き上がったり、起き上かってベッドを離れたりする使用者が多い。そして、療養中の使用者にとっては、ベッドから離れて行動して自立することは、療養中および療養後のそれぞれにおいてとても重要である。
【０００７】
ただし、この様な使用者であっても、上記の各療養用ベッドの場合には、これら療養用ベッドから降りなければベッドから離れることができないので、ベッドから離れることが容易ではない。このため、使用者が起き上がったりベッドから離れたりすることが少なくなってしまい、この使用者の療養中の自立が妨げられてしまうおそれがあるから、この使用者の療養後の自立を遅らせてしまうおそれがあるという問題を有している。
【０００８】
本発明は、このような点に鑑みなされたもので、使用者をベッドから離れやすい状態にできる療養用ベッドを提供することを目的とする。
【課題を解決するための手段】
【０００９】
請求項１記載の療養用ベッドは、水平に設置され使用者の臀部を支持する略板状の中間支持部と、この中間支持部の使用者の頭側に位置し使用者の胴体部を支持する略板状の上体支持部と、前記中間支持部の使用者の足側に位置し使用者の脛部を支持する略板状の下体支持部とを具備し、前記上体支持部は、略水平な状態からこの上体支持部の使用者の頭側を上方に向けて回動可能で、前記下体支持部は、略水平な状態からこの下体支持部の使用者の足側を下方に向けて回動可能で、前記中間支持部には、前記上体支持部を回動させる上体駆動部と、前記下体支持部を回動させる下体駆動部とが取り付けられているものである。
【００１０】
請求項２記載の療養用ベッドは、請求項１記載の療養用ベッドにおいて、上体支持部は、中間支持部に対して略垂直になるまで上方に向けて回動可能で、下体支持部は、前記中間支持部に対して略垂直になるまで下方に向けて回動可能であるものである。
【００１１】
請求項３記載の療養用ベッドは、請求項１または２記載の療養用ベッドにおいて、下体支持部は、使用者の脛部を支持する略板状の脛支持部と、使用者の足部を支持する略板状の足支持部とを備え、前記脛支持部は、中間支持部の使用者の足側に位置し、この脛支持部の使用者の足側が前記中間支持部に対して略垂直になるまで下方に向けて回動可能で、前記足支持部は、前記脛支持部の使用者の足側に取り付けられ、この足支持部の使用者の足側が前記脛支持部に対して略垂直になるまで上下方向に回動可能であるものである。
【発明の効果】
【００１２】
請求項１記載の療養用ベッドによれば、上体駆動部にて上体支持部を略水平な状態からこの上体支持部の使用者の頭側を上方に向けて回動するとともに、下体駆動部にて下体支持部を略水平な状態からこの下体支持部の使用者の足側を下方に向けて回動させることにより、使用者の胴体部を起こしつつ、この使用者の脛部を下ろした状態にできるから、この使用者をベッドから離れやすい状態にできる。
【００１３】
請求項２記載の療養用ベッドによれば、請求項１記載の療養用ベッドの効果に加え、中間支持部に対して略垂直になるまで上体支持部を上方に向けて回動できるとともに、中間支持部に対して略垂直になるまで下体支持部を下方に向けて回動できるので、使用者の胴体部を略垂直に起こしつつ、この使用者の脛部を略垂直に下ろした状態にできるから、この使用者をベッドからより離れやすい状態にできる。
【００１４】
請求項３記載の療養用ベッドによれば、請求項１または２記載の療養用ベッドの効果に加え、脛支持部の使用者の足側を中間支持部に対して略垂直になるまで下方に向けて回動させるとともに、足支持部の使用者の足側を脛支持部に対して略垂直になるまで回動させることにより、脛支持部にて使用者の脛部を略垂直に下ろしつつ、この使用者の足部を略水平に足支持部上に位置した状態にできるから、この使用者が足支持部上に立ち上がることができ、この使用者をよりベッドから離れやすくできる。
【発明を実施するための最良の形態】
【００１５】
以下、本発明の療養用ベッドの実施の一形態の構成を図１ないし図３を参照して説明する。
【００１６】
図１ないし図３において、１は療養用ベッドで、この療養用ベッド１は、医療または介護用の医療ベッドである。そして、この療養用ベッド１は、使用者である療養者Ｐが寝た状態、すなわち水平状態となるためのベッド面２を有するベッド本体３を備えている。このベッド本体３は、図３に示すように、上面視コ字状の支持フレーム４を備えており、この支持フレーム４間にベッド面２が形成される。ここで、この支持フレーム４は、幅方向の両側と、長手方向の一端側である療養者Ｐの頭側とにのみ細長棒状のフレーム体4a,4b,4cが取り付けられ、この支持フレーム４の長手方向の他端側である療養者Ｐの足側には取り付けられている。
【００１７】
そして、この支持フレーム４の幅方向の両側部である長手方向の両端近傍の位置のそれぞれには、この支持フレーム４を一定の高さに支持し、この支持フレーム４を設置面Ｃに対して水平に設置させる支脚５がそれぞれ取り付けられている。これら支脚５は、長手方向を上下方向に沿わせた状態で、これら支脚５の上端部を支持フレーム４の下端面に連結されて取り付けられている。
【００１８】
さらに、このベッド本体３は、療養者Ｐの頭部Ｈを支持する支承床である頭支持部としてのる頭プレート６を備えている。そして、この頭プレート６の療養者Ｐの足側には、療養者Ｐの頭部Ｈから胴体部Ｂまでの部分を支持する支承床である上体支持部としての略平板状の背凭れプレート７が回動可能に取り付けられている。
【００１９】
また、この背凭れプレート７の療養者Ｐの足側には、療養者Ｐの臀部Ｒから大腿部Ｔまでの部分を支持する支承床である中間支持部としての略平板状の臀プレート８が水平な状態で固定されて取り付けられている。さらに、この臀プレート８の療養者Ｐの足側には、療養者Ｐの脛部Ｓから足部Ｆまでの部分を支持する支承床である下体支持部としての略平板状の脚載せプレート９が回動可能に取り付けられている。
【００２０】
ここで、ベッド本体３の臀プレート８は、療養者Ｐの臀部Ｒから大腿部Ｔまでの部分が設置され、これら臀部Ｒから大腿部Ｔまでの部分を支持する大きさの長さ寸法を有する矩形平板状に形成されている。また、この臀プレート８は、支持フレーム４の幅方向の長さ寸法より若干小さな幅寸法に形成されている。そして、この臀プレート８は、支持フレーム４の長手方向の中間部に位置し、この支持フレーム４間に水平に設置されて固定されている。
【００２１】
また、ベッド本体３の背凭れプレート７は、療養者Ｐの胴体部Ｂが設置され、この胴体部Ｂを支持する大きさの長さ寸法を有する矩形平板状に形成された背凭れ部である。また、この背凭れプレート７は、支持フレーム４の幅方向の長さ寸法より若干小さな幅寸法に形成されている。そして、この背凭れプレート７は、頭プレート６と臀プレート８との間に取り付けられており、この背凭れプレート７の長さ方向の一端側である療養者Ｐの臀側が、臀プレート８の長さ方向の一端側である療養者Ｐの頭側に回動可能に取り付けられている。
【００２２】
ここで、この背凭れプレート７は、この背凭れプレート７の療養者Ｐの臀側の端部が、この背凭れプレート７の幅方向に沿った回動軸である背凭れ旋回支点11を回動中心に回動可能に取り付けられている。さらに、この背凭れプレート７は、この背凭れプレート７を略水平にした状態から、約９０°、好ましくは８５°の傾斜角度となるまで上方に向けて回動可能に起き上がるように取り付けられている。
【００２３】
なお、この背凭れプレート７は、この背凭れプレート７を水平にした状態から、この背凭れプレート７の療養者Ｐの頭側が下方に向けて回動しないように回動規制機構としての図示しないロック機構が設けられている。このロック機構としては、背凭れプレート７を水平な状態にした際に、この背凭れプレート７の幅方向の両側縁が係止する図示しない段部を、支持フレーム４の幅方向の両側部の内側に設けたり、この背凭れプレート７と臀プレート８との図示しない連結部に下方への回動を規制する図示しない係止部材を取り付けたりするなどして構成されている。
【００２４】
また、この背凭れプレート７と臀プレート８との間には、この背凭れプレート７を回動操作する上体駆動部としての背凭れ回動機構12が設けられている。この背凭れ回動機構12は、駆動部としての背凭れ駆動モータ13を備えている。この背凭れ駆動モータ13は、可逆モータとしてのリバーシブルモータであって、臀プレート８の療養者Ｐの頭側の下面に取り付けられて固定されている。そして、この背凭れ駆動モータ13は、この背凭れ駆動モータ13にて回転駆動される駆動軸14を有している。
【００２５】
この駆動軸14には、細長棒状の旋回アーム15の一端が回動可能に連結されている。そして、この旋回アーム15は、背凭れプレート７を水平に設置させた状態で長手方向を上下方向に沿わせた状態で取り付けられている。また、この旋回アーム15の他端には、細長棒状のリンクアーム16の一端が回動可能に連結されている。そして、このリンクアーム16の他端は、背凭れプレート７の幅方向の両側部の長さ方向の略中間位置に回動可能に連結されている。
【００２６】
ここで、これら旋回アーム15およびリンクアーム16は、これら旋回アーム15およびリンクアーム16によって背凭れ駆動モータ13の駆動を背凭れプレート７に伝達させる軸駆動伝達部としての背凭れ駆動伝達機構17が構成されている。さらに、この背凭れ駆動伝達機構17には、背凭れプレート７の回動操作を任意の位置で停止させた場合に、この背凭れプレート７の回動位置を固定させる図示しないセルフロック機構が設けられている。このセルフロック機構は、ウォームとホイールとにて構成されている。
【００２７】
そして、この背凭れプレート７は、旋回アーム15の下端部が療養者Ｐの頭側に移動するように、背凭れ回動機構12の背凭れ駆動モータ13の駆動軸14を回転駆動させることにより、この旋回アーム15の回転に伴ってリンクアーム16が背凭れプレート７を上方に向けて押し上げるので、この背凭れプレート７の療養者Ｐの頭側が上方に向けて回動操作される。この状態で、この背凭れプレート７は、旋回アーム15の下端側が療養者Ｐの足側に移動するように、背凭れ回動機構12の背凭れ駆動モータ13の駆動軸14の回転方向を反転させて回転駆動させることにより、この旋回アーム15の回転に伴ってリンクアーム16が背凭れプレート７を下方に向けて移動させるので、この背凭れプレート７の療養者Ｐの頭側が下方に向けて回動操作される。
【００２８】
一方、ベッド本体３の脚載せプレート９は、療養者Ｐの脛部Ｓから足部Ｆまでの部分が設置され、これら脛部Ｓから足部Ｆまでの部分を支持する大きさの長さ寸法を有する矩形平板状に形成された脚載せ部である。また、この脚載せプレート９は、支持フレーム４の幅方向の長さ寸法より若干小さな幅寸法に形成されている。ここで、この脚載せプレート９は、療養者Ｐの脛部Ｓが設置され、この脛部Ｓを支持する大きさの矩形平板状の脛支持部としての脛プレート21と、この療養者Ｐの足部Ｆが設置され、この足部Ｆを支持する大きさの矩形平板状の足支持部としての足プレート22とを備えている。
【００２９】
そして、脛プレート21は、この脛プレート21の長さ方向の一端側である臀側が、臀プレート８の長さ方向の他端側ある療養者Ｐの臀側に回動可能に取り付けられている。また、この脛プレート21は、この脛プレート21を下方に向けて回動操作できるように、療養用ベッド１の各支脚５の高さ寸法よりも若干小さな長さ寸法に形成されている。
【００３０】
ここで、この脛プレート21は、この脛プレート21の療養者Ｐの臀側の端部が、この脛プレート21の幅方向に沿った回動軸である脚載せ旋回支点23を回動中心に回動可能に取り付けられている。さらに、この脛プレート21は、この脛プレート21を略水平にした状態から、約９０°、具体的には９０°の傾斜角度、すなわち垂直な状態となるまで下方に向けて回動可能に構成されている。
【００３１】
なお、この脛プレート21は、この脛プレート21を水平にした状態から、この脛プレート21の療養者Ｐの臀側が上方に向けて回動しないようにする回動規制機構としての図示しないロック機構が設けられている。このロック機構としては、脛プレート21を水平な状態にした際に、この脛プレート21の幅方向の両側縁が係止する図示しない段部を、支持フレーム４の幅方向の両側部の内側に設けたり、この脛プレート21と臀プレート８との図示しない連結部に上方への回動を規制する図示しない係止部材を取り付けたりするなどして構成されている。
【００３２】
また、この脛プレート21と臀プレート８との間には、この脛プレート21を回動操作する下体駆動部としての脚載せ回動機構24が設けられている。この脚載せ回動機構24は、駆動部としての脚載せ駆動モータ25を備えている。この脚載せ駆動モータ25は、可逆モータとしてのリバーシブルモータであって、臀プレート８の療養者Ｐの臀側の下面に取り付けられて固定されている。そして、この脚載せ駆動モータ25は、この脚載せ駆動モータ25にて回転駆動される駆動軸26を有している。
【００３３】
さらに、この駆動軸26には、細長棒状の旋回アーム27の一端が回動可能に連結されている。この旋回アーム27は、脛プレート21を水平に設置させた状態で長手方向の下側を療養者Ｐの足側に向けて傾斜させて取り付けられている。また、この旋回アーム27の他端には、細長棒状のリンクアーム28の一端が回動可能に連結されている。そして、このリンクアーム28の他端は、脛プレート21の幅方向の両側部の療養者Ｐの足側の端部に回動可能に取り付けられて連結されている。
【００３４】
ここで、これら旋回アーム27およびリンクアーム28は、これら旋回アーム27およびリンクアーム28によって脚載せ駆動モータ25の駆動を脛プレート21に伝達させる軸駆動伝達部としての脚載せ駆動伝達機構29が構成されている。さらに、この脚載せ駆動伝達機構29には、脛プレート21の回動操作を任意の位置で停止させた場合に、この脛プレート21の回動位置を固定させる図示しないセルフロック機構が設けられている。このセルフロック機構は、ウォームとホイールとにて構成されている。
【００３５】
そして、この脛プレート21は、旋回アーム27の下端部が療養者Ｐの頭側に移動するように、脚載せ回動機構24の脚載せ駆動モータ25の駆動軸26を回転駆動させることにより、この旋回アーム27の回転に伴ってリンクアーム28が脛プレート21を下方に向けて引き下げるので、この脛プレート21の療養者Ｐの足側が下方に向けて回動操作される。この状態で、この脛プレート21は、旋回アーム27の下端部が療養者Ｐの頭側に移動するように、脚載せ回動機構24の脚載せ駆動モータ25の駆動軸26の回転方向を反転させて回転駆動させることにより、この旋回アーム27の回転に伴ってリンクアーム28が脛プレート21を下方に向けて移動させるので、この脛プレート21の療養者Ｐの足側が垂直な状態となるまで下方に向けて回動操作される。
【００３６】
さらに、この脛プレート21の長さ方向の他端側である療養者Ｐの足側には、足プレート22の長さ方向の一端側である療養者Ｐの脛側が回動可能に取り付けられている。ここで、この足プレート22は、この足プレート22の療養者Ｐの脛側の端部が、この足プレート22の幅方向に沿った回動軸である踵側旋回支点31を回動中心として回動できるように構成されている。さらに、この足プレート22は、脛プレート21を水平な状態から垂直な状態となるように回動させる際に、水平な状態が維持されつつ脛プレート21に対して略垂直な状態になるまで上方に向けて回動できるように構成されている。
【００３７】
具体的に、この足プレート22は、この足プレート22の療養者Ｐの脛側の上面と、脛プレート21の療養者Ｐの足側の上面との間に互いに向い合う方向に向けて回動可能な蝶番32が取り付けられて回動可能に構成されている。この蝶番32は、この足プレート22による脛プレート21に対する下方への回動を規制して、この足プレート22による脛プレート21に対する上方への回動のみを許容する。そして、この足プレート22は、脛プレート21を水平な状態から垂直な状態に回動させた際に、この足プレート22にて支持していた療養者Ｐの足裏Ｏが、この足プレート22上に設置されるように回動される。
【００３８】
一方、ベッド本体３には、背凭れプレート７または脚載せプレート９を回動操作させる制御手段であるとともに操作手段であるリモートコントローラ機構としての図示しない操作ユニットが取り付けられている。この操作ユニットには、背凭れ駆動モータ13の駆動をオン(ＯＮ)オフ(ＯＦＦ)するための背凭れ操作ボタンと、脚載せ駆動モータ25の駆動をオンオフするための脚載せ操作ボタンとが設けられている。さらに、これら背凭れ操作ボタンおよび脚載せ操作ボタンは、背凭れプレート７または脚載せプレート９の回動を任意の位置で停止すること可能に構成されている。
【００３９】
そして、操作ユニットの背凭れ操作ボタンおよび脚載せ操作ボタンにて背凭れプレート７または脚載せプレート９の回動を任意の位置で停止させた場合には、これら背凭れプレート７または脚載せプレート９の回動の停止が背凭れ駆動伝達機構17および脚載せ駆動伝達機構29それぞれのセルフロック機構にて固定される。また、これら背凭れ操作ボタンおよび脚載せ操作ボタンは、これら背凭れ操作ボタンおよび脚載せ操作ボタンを押し続けて長押しすることによって、背凭れプレート７または脚載せプレート９の回動を元の水平な状態に戻すことができるように構成されている。
【００４０】
さらに、操作ユニットには、背凭れプレート７または脚載せプレート９を水平な状態から回動操作させた際に、これら背凭れプレート７または脚載せプレート９が回動して、これら回動が定位置となったときに、これら背凭れプレート７または脚載せプレート９の回動を停止させる機能を有する図示しないリミットスイッチがそれぞれ設けられている。
【００４１】
次に、上記実施の一形態の療養用ベッドの動作について説明する。
【００４２】
まず、この療養用ベッド１を使用する場合は、図１に示すように、この療養用ベッド１の背凭れプレート７および脚載せプレート９のそれぞれが水平な状態かを確認する。
【００４３】
このとき、この療養用ベッド１の背凭れプレート７または脚載せプレート９が水平な状態でなく回動している場合は、この療養用ベッド１の操作ユニットの背凭れ操作ボタンまたは脚載せ操作ボタンを押し続けて長押しして、背凭れ駆動モータ13および脚載せ駆動モータ25のそれぞれを駆動させて、背凭れプレート７および脚載せプレート９のそれぞれを水平な状態にする。
【００４４】
この状態で、この療養用ベッド１のベッド面２に必要に応じて図示しない敷き布団などのマットを敷いて、このマットの上に療養者Ｐが寝る。
【００４５】
このとき、この療養者Ｐの胴体部Ｂを背凭れプレート７上に位置させ、この療養者Ｐの臀部Ｒから大腿部Ｔまでの部分を臀プレート８上に位置させ、この療養者Ｐの脛部Ｓから足部Ｆまでの部分を脚載せプレート９上に位置させる。
【００４６】
ここで、この療養用ベッド１のベッド面２上に敷くマットとしては、この療養用ベッド１の構成に合わせたものであって、この療養用ベッド１の背凭れプレート７および脚載せプレート９のそれぞれを回動操作できるものである必要がある。
【００４７】
そして、この療養用ベッド１上の療養者Ｐを寝ている状態から上半身を起こしたい場合には、この療養者Ｐ、付添者あるいは看護師などが、療養用ベッド１の操作ユニットの背凭れ操作ボタンを押して背凭れ駆動モータ13を駆動させる。
【００４８】
このとき、この背凭れ駆動モータ13の駆動軸14が回転駆動され、この駆動軸14の回転駆動に伴って旋回アーム15が療養者Ｐの頭側に向けて回動することにより、この旋回アーム15の回動に伴ってリンクアーム16が上方に向けて移動して、このリンクアーム16にて背凭れプレート７の頭側が上方に向けて回動してリクライニング式に起き上がる。
【００４９】
そして、この背凭れプレート７が所望の位置まで起き上がったときに、操作ユニットの背凭れ操作ボタンを押し直して、背凭れ駆動モータ13の駆動を停止させる。
【００５０】
さらに、療養用ベッド１の背凭れプレート７にて上半身が起き上がった療養者Ｐが、この療養用ベッド１から何らかの理由で立ち上がったり離れたりしたい場合には、操作ユニットの背凭れ操作ボタンを押して、図１に示すように、背凭れプレート７が臀プレート８に対して約８５°以上９０°以下程度に立ち上がるまで背凭れ駆動モータ13を駆動させて、療養者Ｐの上半身を略垂直な状態に起こす。
【００５１】
この状態で、操作ユニットの脚載せ操作ボタンを押して脚載せ駆動モータ25を駆動させて、脚載せプレート９の脛プレート21が水平な状態から垂直な状態となるまで、この脚載せプレート９を駆動させる。
【００５２】
このとき、この脚載せ駆動モータ25の駆動によって、この脚載せ駆動モータ25の駆動軸26が回転駆動され、この駆動軸26の回転駆動に伴って旋回アーム27が療養者Ｐの臀側に向けて回動することにより、この旋回アーム27の回動に伴ってリンクアーム28が下方に向けて移動して、このリンクアーム28にて脚載せプレート９の脛プレート21が水平な状態から垂直な状態となるまで下方に向けて回動して、この脛プレート21の回動に伴って療養者Ｐの膝から下の部分、すなわち脛部Ｓが下方へ曲がった状態となる。
【００５３】
同時に、この脛プレート21の水平な状態から垂直な状態への回動に伴って、この脛プレート21の療養者Ｐの足側に取り付けられている足プレート22が蝶番32の踵側旋回支点31を回動中心に回動して、この足プレート22上に療養者Ｐの足裏Ｏが設置されるように、この足プレート22が設置面Ｃに接触して徐々に折り曲がっていく。
【００５４】
なお、背凭れプレート７および脚載せプレート９それぞれの回動操作は、これら背凭れプレート７および脚載せプレート９それぞれの回動が定位置となったときにリミットスイッチがそれぞれ機能して自動的に停止され、これら背凭れプレート７および脚載せプレート９それぞれの回動が定位置に固定される。
【００５５】
さらに、背凭れプレート７および脚載せプレート９それぞれの回動操作は、これら背凭れプレート７および脚載せプレート９それぞれの回動を任意の位置で停止させた場合に、ウォームとホイールとで構成されたセルフロック機能が機能して、これら背凭れプレート７および脚載せプレート９それぞれの回動が任意の位置で固定される。
【００５６】
そして、療養用ベッド１の脚載せプレート９を下方に向けて回動操作させた状態では、療養者Ｐの脛部Ｓが脛プレート21に沿ってほぼ直角に折れ曲がった状態となるとともに、この療養者Ｐの足部Ｆの足裏Ｏが足プレート22上に載った状態となる。
【００５７】
上述したように、上記実施の一形態では、療養用ベッド１の背凭れプレート７を上方に向けて略垂直になるまで回動操作するとともに、この療養用ベッド１の脚載せプレート９を下方に向けて略垂直になるまで回動操作する。
【００５８】
この結果、図１に示すように、療養用ベッド１に寝ている療養者Ｐの上半身である胴体部Ｂが起こされた状態になるとともに、この療養者Ｐの脛部Ｓが垂直に下方に向けて曲がった状態となり、この療養者Ｐの足裏Ｏが脚載せプレート９の足プレート22上に設置された状態、すなわち椅子に腰掛けている状態に近い姿勢となる。
【００５９】
そして、療養者Ｐが椅子に腰掛けている状態に近い姿勢になると、この療養者Ｐは療養用ベッド１の支持フレーム４や、この療養用ベッド１の外側に設けられている図示しない手摺などにつかまるなどして立ち上がることが容易にできる状態となる。
【００６０】
したがって、療養者Ｐは、療養用ベッド１から立ち上がって、この療養用ベッド１から手摺につかまりながら歩いたり、近くの車椅子などに乗り移ったりするなどが容易に可能となるので、この療養用ベッド１から離れることが容易にできる。
【００６１】
すなわち、療養者Ｐが療養用ベッド１から立ち上かって離れることができれば、この療養者Ｐは、手摺などに伝わって場所を移動することが可能になるのみならず、歩行練習もでき、療養用ベッド１の近くに設置した車椅子に移動することも可能になる。
【００６２】
よって、療養用ベッド１に寝ている療養者Ｐが寝ている状態から、付添者や看護師などの他者の助けを借りずに自力で療養用ベッド１から立ち上がることができるとともに、歩行可能な療養者Ｐの場合には療養用ベッド１から容易に離れることが可能になる。
【００６３】
さらに、療養用ベッド１の背凭れ駆動モータ13の駆動軸14の回転駆動にて旋回アーム15およびリンクアーム16を介して背凭れプレート７を回動させる構成にするととともに、この療養用ベッド１の脚載せ駆動モータ25の駆動軸26の回転駆動にて旋回アーム27およびリンクアーム28を介して脚載せプレート９の脛プレート21を回動させる構成にしたことにより、これら背凭れ駆動モータ13および脚載せ駆動モータ25を適宜駆動させるだけで、背凭れプレート７および脚載せプレート９を適宜回動操作できる。
【００６４】
したがって、これら背凭れプレート７および脚載せプレート９のいずれかを昇降させたり、これら背凭れプレート７および脚載せプレート９を連動させたりする従来の療養用ベッドに比べ、これら背凭れプレート７および脚載せプレート９を簡単な構成で別個独立に確実に操作できるとともに、療養者Ｐの様々な要望に対応できるから、療養用ベッド１の使い勝手を大幅に向上できる。
【００６５】
なお、上記実施の一形態では、背凭れプレート７と臀プレート８を同じ支持フレーム４にそれぞれ取り付けたが、これら背凭れプレート７および臀プレート８を支持するフレームを別体にしてもよい。
【００６６】
さらに、支持フレーム４にて脚載せフレーム９の両側部を覆う構成としたが、この支持フレーム４の足側を短くして脚載せフレーム９を覆わない構成とすることもできる。
【００６７】
また、これら背凭れプレート７および脚載せプレート９は、任意の中間位置でも停止できる構成が好ましく、これら背凭れプレート７および脚載せプレート９の停止位置としては一定のピッチで設定してもよいし、無段階停止としてもよい。
【００６８】
さらに、脚載せプレート９は、療養者Ｐが寝た状態のときに、この療養者Ｐの足部Ｆの先まで延在している必要があるが、この脚載せプレート９の脛プレート21の長さを療養者Ｐの足部Ｆの先まで延出した長さのままでは、この脛プレート21を回動させた際に、療養用ベッド１の設置面Ｃに接触してしまうので、この脛プレート21を垂直位置まで回転できない。そこで、この脛プレート21の長さを短くしたり、脚載せプレート９の足プレート22を省略したりすることも可能である。
【００６９】
また、この脚載せプレート９を脛プレート21と足プレート22とで構成し、これら脛プレート21と足プレート22が二つ折りとなる構成としたが、この足プレート22を強制的に折り曲げる駆動手段などを設けることなどなく、この脛プレート21が下方に向けて回動するときに足プレート22を水平な状態のまま下方に向けて移動する構成とすることもできる。
【００７０】
さらに、療養者Ｐが療養用ベッド１から脱落するのを防止したり、療養者Ｐが立ち上がる際の支えとなったりする図示しない脱落防止フレームを療養用ベッド１の支持フレーム４に取り付けることもできる。この場合には、この脱落防止フレームを支持フレーム４に対して着脱可能にすることが好ましい。
【００７１】
また、例えば図示しないタンパ機構を支脚５に設けて、これら支脚５を上下調整可能な構成にしたり、これら支脚５の下端部のそれぞれに、療養用ベッド１を移動可能にさせるキャスタを取り付けたりすることもできる。
【００７２】
さらに、療養用ベッド１の足プレート22が接触する設置面Ｃ上に、この足プレート22が接触したときに滑りやすい図示しないマットを設置することもできる。
【図面の簡単な説明】
【００７３】
【図１】本発明の療養用ベッドの実施の一形態の起き上がり状態を示す説明側面図である。
【図２】同上療養用ベッドの水平状態を示す説明側面図である。
【図３】同上療養用ベッドを示す説明平面図である。
【符号の説明】
【００７４】
１    療養用ベッド
７    上体支持部としての背凭れプレート
８    中間支持部としての臀プレート
９    下体支持部としての脚載せプレート
12    上体駆動部としての背凭れ回動機構
21    脛支持部としての脛プレート
22    足支持部としての足プレート
24    下体駆動部としての脚載せ回動機構
Ｐ    使用者としての療養者
Ｒ    臀部
Ｓ    脛部
Ｆ    足部
【図１】
2008264095.tif 000003
【図２】
2008264095.tif 000004
【図３】
2008264095.tif 000005